(57)【要約】      （修正有）【課題】陸屋根に固定されて使用されるとともに陸屋根上にも運搬し易く、そして構造物を安定した状態で支持することができる新規な設備取付用基礎及びこの設備取付用基礎を用いた設備取付構造を提供する。【解決手段】設備取付用基礎本体２の内側には、陸屋根に起立して設けられた１本又は複数本のアンカーボルトが挿通される挿通空間２ｊが形成され、上面２ｉには屋外構造物又は屋外構造物を支持する架台が載置される水平な載置面が形成されてなるとともに、陸屋根の上面からアンカーボルトの上端までの長さよりも短い高さを備えてなり、挿通空間２ｊは内部にセメント，モルタル又はコンクリート等の充填材が充填される空間とされてなる。上面２ｉには、中央にアンカーボルトの上端側が挿通される挿通穴３ａが形成された蓋体３が載置される。【選択図】図４
0003174221.tif 000002
【実用新案登録請求の範囲】
【請求項１】
陸屋根に載置され屋外構造物を支持する設備取付用基礎であって、
内側には、陸屋根に起立して設けられた１本又は複数本のアンカーボルトが挿通される挿通空間が形成され、上面には上記屋外構造物又は該屋外構造物を支持する架台が載置される水平な載置面が形成されてなるとともに、
上記陸屋根の上面からアンカーボルトの上端までの長さよりも短い高さを備えてなり、
上記挿通空間は内部にセメント，モルタル又はコンクリート等の充填材が充填される空間とされてなることを特徴とする設備取付用基礎。
【請求項２】
陸屋根に載置され屋外構造物を支持する設備取付用基礎であって、
内側には、陸屋根に起立して設けられた１本又は複数本のアンカーボルトが挿通される挿通空間が形成され、上面には水平な蓋載置面が形成されてなるとともに、
上記陸屋根の上面からアンカーボルトの上端までの長さよりも短い高さを備えてなり、
上記挿通空間は内部にセメント，モルタル又はコンクリート等の充填材が充填される空間とされてなる設備用基礎本体と、
この設備用基礎本体の蓋載置面に載置されるとともに、上記アンカーボルトの上端側が挿通される蓋側挿通空間が形成されてなり、上面には上記屋外構造物又は該屋外構造物を支持する架台が載置される水平な載置面が形成されてなる蓋体と、
を備えてなることを特徴とする設備取付用基礎。
【請求項３】
下端は陸屋根に埋設されてなり先端は上方に起立してなる１本又は複数本のアンカーボルトと、
内側に形成された挿通空間内には、上記アンカーボルトが挿通され且つセメント，モルタル又はコンクリート等の充填材が充填されてなるとともに上面に形成された載置面により屋外構造物又は該屋外構造物を支持する架台が載置されてなる設備取付用基礎と、
陸屋根上から設備取付用基礎の少なくとも外周面に亘って施工された防水層と、を備えてなることを特徴とする設備取付用基礎を用いた設備取付構造。
【請求項４】
下端は陸屋根に埋設されてなり先端は上方に起立してなる１本又は複数本のアンカーボルトと、
内側に形成された挿通空間内には上記アンカーボルトが挿通され且つセメント，モルタル又はコンクリート等の充填材が充填され、上面には水平な蓋載置面が形成されてなる設備用基礎本体と、
この設備用基礎本体の蓋載置面に載置されるとともに、上記アンカーボルトの上端側が挿通されてなる蓋側挿通空間が形成され、上面には上記屋外構造物又は該屋外構造物を支持する架台が載置される水平な載置面が形成されてなる蓋体と、
陸屋根上から上記設備取付用基礎の外周面を通過し蓋載置面に亘って施工された防水層と、を備え、
上記防水層の端部側中途部が上記蓋体の自重により下方に押圧されてなることを特徴とする設備取付用基礎を用いた設備取付構造。
【請求項５】
前記挿通空間は、上方から下方にかけて窄まった形状とされてなるとともに、該挿通空間内には体積が膨張する性質を有するモルタルが充填されてなることを特徴とする請求項３又は４記載の何れかの設備取付用基礎を用いた設備取付構造。
【考案の詳細な説明】
【技術分野】
【０００１】
本考案は、太陽光（ソーラー）パネルや緑化パネルなどの屋外構造物を支持し取り付けるために使用される設備取付用基礎及びこの設備取付用基礎を用いた設備取付構造に関するものである。
【背景技術】
【０００２】
近年では、太陽光（ソーラー）パネルによる発電設備や緑化設備を屋上に取り付ける場合が多い。特に、屋上（屋根）が、陸屋根である場合には、こうした設備の取付工事が盛んに行われているのが実情である。ところで、こうした陸屋根において各種の設備を固定する場合、陸屋根上（工事現場）にコンクリートを打設して基礎を成形し、この基礎上にフレームやＨ型鋼などの架台を支持固定する方法を当初は行っていた。しかし、こうした陸屋根（工事現場）において基礎を成形する方法は、コンクリートを打設するために必要な水，骨材，材料などの材料は勿論、型枠も用意しなければならず、さらには、これらの作業を行う作業者も必要となるし、混練作業や成形作業に要する時間以外に、硬化に必要な時間も要するなど、基礎を成形するために必要な時間も考慮しなければならない。しかも、打設されるコンクリートの硬度に関しては、現場毎或いは成形した基礎毎にそれが異なる場合も想定され、安定した品質を保持することさえ難しい。
【０００３】
そこで、こうした現場において打設することに伴う種々の問題点を改善するために、近年では、上述した設備を支持し取付作業に用いられる基台ないし基礎が幾つか提案されている（特許文献１，２参照）。例えば、特許文献１に開示された屋外構造物の取付用基台は、陸屋根上に載置され上面にはアンカーボルトの先端が上方に突出してなる土台と、この土台の上面に配置されＨ型鋼を左右両側から挟持する左右一対のＨ形鋼押さえ部材を構成要素としている。他方、特許文献２に開示された設備積載用基礎は、陸屋根への取り付け用の複数個の固定ねじ孔を有する基盤と、この基盤に垂直で該基盤との接合部が水密に結合される筒状の支持脚と、支持脚の上面から上方に突出した高さ調整具と、この高さ調整具の頂部に装着され架台などを支持する設備受台と、備えたものである。
【先行技術文献】
【特許文献】
【０００４】
【特許文献１】特開２０１１−１０６２０３号公報
【特許文献２】特開２０１１−１９０５９３号公報
【考案の概要】
【考案が解決しようとする課題】
【０００５】
しかしながら、上記特許文献１に開示された屋外構造物の取付用基台では、土台は陸屋根上に載置されるものであって該陸屋根に固定されるものではないことから、陸屋根に施工されている防水シート等の防水仕上げに悪影響を及ぼす危険性はないが、設置される屋外構造物の重量によっては、倒壊する危険性が高く、採用することができない。いうまでもなく、こうした倒壊の危険性を回避するためには、個々の土台の重量を大重量とし、又は数を増加させることになるが、個々の土台の重量を高重量としても数を増加させても陸屋根上に運搬する作業は過酷で面倒とならざるを得ない。また、上記特許文献２に開示された設備積載用基礎では、基礎固定ねじにより基盤が陸屋根に固定されることから、全体が倒壊する危険性や運搬作業に関する課題は緩和されるものの、架台への固定構造は、設備受台に螺着された積載設備固定ボルトとこのボルトに螺着されるナットとを締結する構造であり、上記陸屋根と基盤とを固定する締結部材とは別個に締結部材によることから、強度としては未だ脆弱であり、安定した支持状態を保持することはできない。
【０００６】
そこで、本考案は、上述した特許文献１，２にそれぞれ開示された従来の取付用基台や設備積載用基礎が有する課題を解決するために提案されたものであって、陸屋根に固定されて使用されるとともに陸屋根上にも運搬し易く、そして構造物を安定した状態で支持することができる新規な設備取付用基礎及びこの設備取付用基礎を用いた設備取付構造を提供することを目的とするものである。
【課題を解決するための手段】
【０００７】
本考案は、上記目的を達成するために提案されたものであって、第１の考案（請求項１記載の考案）は、陸屋根に載置され屋外構造物を支持する設備取付用基礎であって、内側には、陸屋根に起立して設けられた１本又は複数本のアンカーボルトが挿通される挿通空間が形成され、上面には上記屋外構造物又は該屋外構造物を支持する架台が載置される水平な載置面が形成されてなるとともに、上記陸屋根の上面からアンカーボルトの上端までの長さよりも短い高さを備えてなり、上記挿通空間は内部にセメント，モルタル又はコンクリート等の充填材が充填される空間とされてなることを特徴とするものである。
【０００８】
この第１の考案に係る設備取付用基礎では、内部に１本又は複数本のアンカーボルトが挿通される挿通空間が形成され、この挿通空間は、内部にセメント，モルタル又はコンクリート等の充填材が充填される空間とされ、陸屋根に設置・固定された状態は、上記挿通空間内に充填材が充填され硬化した状態とされることから、アンカーボルトとの一体化が図られる。したがって、上面である載置面では屋外構造物を支持することができることは勿論、この支持した屋外構造物がこの設備取付用基礎とともに転倒したり倒壊したりする危険性が回避される。また、上記挿通空間は、充填材が充填される空間でもあることから、（特許文献１に開示された土台のように）内部に空間が形成されていない基礎と比較した場合、陸屋根上に運搬する場合も比較的軽減される。
【０００９】
また、第２の考案（請求項２記載の考案）は、陸屋根に載置され屋外構造物を支持する設備取付用基礎であって、内側には、陸屋根に起立して設けられた１本又は複数本のアンカーボルトが挿通される挿通空間が形成され、上面には水平な蓋載置面が形成されてなるとともに、上記陸屋根の上面からアンカーボルトの上端までの長さよりも短い高さを備えてなり、上記挿通空間は内部にセメント，モルタル又はコンクリート等の充填材が充填される空間とされてなる設備用基礎本体と、この設備用基礎本体の蓋載置面に載置されるとともに、上記アンカーボルトの上端側が挿通される蓋側挿通空間が形成されてなり、上面には上記屋外構造物又は該屋外構造物を支持する架台が載置される水平な載置面が形成されてなる蓋体と、を備えてなることを特徴とするものである。
【００１０】
この第２の考案に係る設備取付用基礎では、設備用基礎本体と蓋体とから構成され、この蓋体は、設備用基礎本体の上面である蓋載置面に載置される一方、屋外構造物又は該屋外構造物を支持する架台が載置される水平な載置面が形成されてなる。したがって、基本的には、上記第１の考案に蓋体が付加されたものであるが、この蓋体によりより全体の重量が嵩み安定した支持状態を確保でき、また、設備用基礎本体と蓋体とを別個に陸屋根上に運搬することもでき、作業性を上げることが可能となる。また、この第２の考案に係る設備取付用基礎では、（後述するように）陸屋根上に設置した後にシート状の防水層を施工する場合には、その防水層となるシートを陸屋根の上面から設備用基礎本体の外周、さらには該設備用基礎本体の上面にまで施工した場合には、該シートの端部側中途部上に上記蓋体を載置することで、その自重により該シート体を押さえることができる。すなわち、この第２の考案に係る設備取付用基礎によれば、防水層となるシートの中途部を蓋体により押さえることができる。
【００１１】
また、第３の考案（請求項３記載の考案）は、上記第１の考案に係る設備取付用基礎を用いた設備取付構造に係るものであって、下端は陸屋根に埋設されてなり先端は上方に起立してなる１本又は複数本のアンカーボルトと、内側に形成された挿通空間内には、上記アンカーボルトが挿通され且つセメント，モルタル又はコンクリート等の充填材が充填されてなるとともに上面に形成された載置面により屋外構造物又は該屋外構造物を支持する架台が載置されてなる設備取付用基礎と、陸屋根上から設備取付用基礎の少なくとも外周面に亘って施工された防水層と、を備えてなることを特徴とするものである。
【００１２】
この第３の考案に係る設備取付用基礎を用いた設備取付構造では、先に説明したように、安定した状態で設備を支持することができ、また、設備取付用基礎の運搬作業が容易となるばかりではなく、アンカーボルトが挿通されている挿通空間内には充填材により充填されていることから、雨水等が、設備取付用基礎に形成された挿通空間内から下方に移動し、アンカーボルトを埋設するために形成した穴内から建物のスラブや壁等に侵入してしまう危険性を有効に回避することができる。また、この設備取付構造では、陸屋根上から設備取付用基礎の少なくとも外周面に亘って防水層が施工されていることから、設備取付用基礎と陸屋根との間から雨水が浸入し、上記アンカーボルトを埋設するために形成した穴内から建物のスラブや壁等に侵入することも防止することができる。
【００１３】
また、第４の考案（請求項４記載の考案）は、上記第２の考案に係る設備取付用基礎を用いた設備取付構造に係るものであって、下端は陸屋根に埋設されてなり先端は上方に起立してなる１本又は複数本のアンカーボルトと、内側に形成された挿通空間内には上記アンカーボルトが挿通され且つセメント，モルタル又はコンクリート等の充填材が充填され、上面には水平な蓋載置面が形成されてなる設備用基礎本体と、この設備用基礎本体の蓋載置面に載置されるとともに、上記アンカーボルトの上端側が挿通されてなる蓋側挿通空間が形成され、上面には上記屋外構造物又は該屋外構造物を支持する架台が載置される水平な載置面が形成されてなる蓋体と、陸屋根上から上記設備取付用基礎の外周面を通過し蓋載置面に亘って施工された防水層と、を備え、上記防水層の端部側中途部が上記蓋体の自重により下方に押圧されてなることを特徴とするものである。
【００１４】
この第４の考案に係る設備取付用基礎を用いた設備取付構造では、陸屋根上から上記設備取付用基礎の外周面を通過し蓋載置面に亘って施工された防水層の端部側中途部が上記蓋体の自重により下方に押圧されている。したがって、設備取付用基礎本体と陸屋根との間から雨水が浸入し、上記アンカーボルトを埋設するために形成した穴内から建物のスラブや壁等に侵入することも防止することができることは勿論、施工された防水層の剥離や脱落を防止するために設備取付用基礎本体に巻回される押さえ金具などを配置する必要性がない。
【００１５】
また、第５の考案（請求項５記載の考案）は、上記第３又は第４の考案において、前記挿通空間は、上方から下方にかけて窄まった形状とされてなるとともに、該挿通空間内には体積が膨張する性質を有するモルタルが充填されてなることを特徴とするものである。
【００１６】
この第５の考案では、設備取付用基礎本体に形成された挿通空間は、上方から下方にかけて窄まった形状とされてなることから、モルタルを充填する作業は容易であり内部に空洞が形成されてしまう危険性も少ない。また、上記挿通空間内には体積が膨張する性質を有するモルタルが充填されてなることから、挿通空間を形成する壁面とモルタルとは密着され、毛管現象による水の浸入が阻止される。
【考案の効果】
【００１７】
第１の考案（請求項１記載の考案）に係る設備取付用基礎では、内部に１本又は複数本のアンカーボルトが挿通される挿通空間が形成され、この挿通空間は、内部にセメント，モルタル又はコンクリート等の充填材が充填される空間とされ、陸屋根に設置・固定された状態は、上記挿通空間内に充填材が充填され硬化した状態とされることから、アンカーボルトとの一体化が図られる。したがって、上面である載置面では屋外構造物を支持することができることは勿論、この支持した屋外構造物がこの設備取付用基礎とともに転倒したり倒壊したりする危険性を有効に回避することができる。また、上記挿通空間は、充填材が充填される空間でもあることから、（特許文献１に開示された土台のように）内部に空間が形成されていない基礎と比較した場合、陸屋根上に運搬する場合も比較的軽減することができる。
【００１８】
また、第２の考案（請求項２記載の考案）に係る設備取付用基礎では、設備用基礎本体と蓋体とから構成され、この蓋体は、設備用基礎本体の上面である蓋載置面に載置される一方、屋外構造物又は該屋外構造物を支持する架台が載置される水平な載置面が形成されてなることから、基本的には、上記第１の考案に蓋体が付加されたものであるが、この蓋体によりより全体の重量が嵩み安定した支持状態を確保でき、また、設備用基礎本体と蓋体とを別個に陸屋根上に運搬することもでき、作業性を上げることが可能となる。また、この第２の考案に係る設備取付用基礎では、陸屋根上に設置した後にシート状の防水層を施工する場合には、その防水層となるシートを陸屋根の上面から設備用基礎本体の外周、さらには該設備用基礎本体の上面にまで施工した場合には、該シートの端部側中途部上に上記蓋体を載置することで、その自重により該シート体を押さえることができる。すなわち、この第２の考案に係る設備取付用基礎によれば、防水層となるシートの中途部を蓋体により押さえることができることから、防水層の剥離や脱落を防止するために設備取付用基礎に巻回される押さえ金具などを配置する必要性がない。
【００１９】
また、第３の考案（請求項３記載の考案）に係る設備取付用基礎を用いた設備取付構造では、先に説明したように、安定した状態で設備を支持することができ、また、設備取付用基礎の運搬作業が容易となるばかりではなく、アンカーボルトが挿通されている挿通空間内には充填材により充填されていることから、雨水等が、設備取付用基礎に形成された挿通空間内から下方に移動し、アンカーボルトを埋設するために形成した穴内から建物のスラブや壁等に侵入してしまう危険性を有効に回避することができる。また、この設備取付構造では、陸屋根上から設備取付用基礎の少なくとも外周面に亘って防水層が施工されていることから、設備取付用基礎と陸屋根との間から雨水が浸入し、上記アンカーボルトを埋設するために形成した穴内から建物のスラブや壁等に侵入することも防止することができる。
【００２０】
また、第４の考案（請求項４記載の考案）に係る設備取付用基礎を用いた設備取付構造では、陸屋根上から上記設備取付用基礎の外周面を通過し蓋載置面に亘って施工された防水層の端部側中途部が上記蓋体の自重により下方に押圧されている。したがって、設備取付用基礎本体と陸屋根との間から雨水が浸入し、上記アンカーボルトを埋設するために形成した穴内から建物のスラブや壁等に侵入することも防止することができることは勿論、施工された防水層の剥離や脱落を防止するために設備取付用基礎本体に巻回される押さえ金具などを配置する必要性がない。
【００２１】
また、第５の考案（請求項５記載の考案）では、設備取付用基礎本体に形成された挿通空間は、上方から下方にかけて窄まった形状とされてなることから、モルタルを充填する作業は容易であり内部に空洞が形成されてしまう危険性も少ない。また、上記挿通空間内には体積が膨張する性質を有するモルタルが充填されてなることから、挿通空間を形成する壁面とモルタルとは密着され、毛管現象による水の浸入を有効に阻止することができ、アンカーボルトを立設するために陸屋根に施された既設の防水層を取り除いたことに伴う不都合を有効に解消することができる。
【図面の簡単な説明】
【００２２】
【図１】本考案に係る設備取付用基礎の斜視図である。
【図２】図１に示す設備取付用基礎を構成する設備取付用基礎本体の斜視図である。
【図３】図１に示す設備取付用基礎の正断面図である。
【図４】図１に示す設備取付用基礎の側断面図である。
【図５】蓋体の底面図である。
【図６】図１に示す設備取付用基礎を用いて施工された設備取付構造を示す断面図である。
【考案を実施するための形態】
【００２３】
以下、本考案を実施するための実施の形態に係る設備取付用基礎と、この設備取付用基礎を用いた設備取付構造について、図面を参照しながら詳細に説明する。先ず、設備取付用基礎について説明する。
【００２４】
この実施の形態に係る設備取付用基礎１は、それぞれコンクリートにより成形されてなるものであり、図１に示すように、設備取付用基礎本体２と、この設備取付用基礎本体２上に載置されてなる蓋体３とから構成されている。
【００２５】
上記設備取付用基礎本体２は、図２又は図３に示すように、外形形状がやや四角錐台状に成形されてなるものであり、したがって、正面２ａ及び背面２ｂ（図４参照）は互いに下側から上側にかけて接近するように傾斜しており、同様に左側面２ｃ及び右側面２ｄ（図３参照）も互いに下側から上側にかけて接近するように傾斜している。また、この設備取付用基礎本体２の下面２ｅは平面とされており、外周の最も下方部分には段差部２ｆが形成され外周長さが短い状態とされている。また、この実施の形態に係る設備取付用基礎本体２を構成する上記左側面２ｃと右側面２ｄの下方側中途部には、作業者がこの設備取付用基礎本体２を運搬する際に手を掛ける手掛け用の凹部２ｇ，２ｈが形成されている。また、図３に示すように、この設備取付用基礎本体２の上面２ｉは上記底面２ｅと平行な平面とされており、この上面２ｉ上に上記蓋体３が載置されている。
【００２６】
そして、さらにこの設備取付用基礎本体２の内側には、図２及び図３に示すように、貫通穴２ｊが形成されている。この貫通穴２ｊは、後述する２本のアンカーボルトを挿通する挿通空間であるとともに充填材を充填する充填空間である。この貫通穴２ｊは、図２に示すように、上部の形状は設備取付用基礎本体２の上面２ｊの形状である長方形状の長さ方向と同じ方向に長さを有してなる長方形状であり、下部の形状も同じ長さ方向に長さを有する長方形状とされ、図３及び図４に示すように、上部から下部に亘って徐々にその体積が小さくなるよう窄まった形状とされている。すなわち、この貫通穴２ｊは、図４に示すように、正面２ａと背中合せの位置に形成された第１の内側面２ｍと、この第１の内側面２ｍと同じ面積とされてなるとともに上記背面２ｂと背中合せの位置に形成された第２の内側面２ｎと、上記左側面２ｃと背中合せに形成された第３の内側面２ｏと、この第３の内側面２ｏと同じ面積とされてなるとともに上記右側面と背中合せに形成された第４の内側面２ｐとにより区画されてなるものである。そして、上記第１の内側面２ｍと第２の内側面２ｎとは、上端側から下端側に亘って徐々に距離が接近しており、上記第３の内側面２ｏと第４の内側面２ｐとは、上端側から下端側に亘って徐々に距離が接近している。換言すれば、この貫通穴２ｊの形状は、逆四角錐台とされている。つまり、この実施の形態に係る設備取付用基礎に形成された上記貫通穴２ｊは、上方から下方にかけて徐々に窄まった形状とされている。なお、この貫通穴２ｊの上端は直角ではなく面取りがされた面取り部２ｒ（図２参照）が形成されている。また、図面には示されていないが、上記設備取付用基礎本体２の底面には、粘着剤が塗布され、この粘着剤には図示しない剥離紙が貼付されている。
【００２７】
他方、上記蓋体３は、上述した通り、設備取付用基礎本体２の上面に載置されてなるものであり、図１に示すように、ほぼ長方形状の板状に成形されてなり、中央には、アンカーボルトの上端側が挿通される挿通穴３ａが形成されている。この挿通穴３ａは、上記設備取付用基礎本体２に形成された貫通穴２ｊに連通してなるものであり、該蓋体３の長さ方向と同じ方向に長さを有してなるものである。そして、この挿通穴３ａが形成されている周囲には、長方形状の平面（上面）が後述する架台が載置される蓋側載置面３ｂとして形成されている。そして、この蓋側載置面３ｂの周囲には、第１ないし第４の傾斜面３ｃ・・・３ｆが形成されている。上記第１の傾斜面３ｃは、上記蓋側載置面３ｂから正面側に形成されてなるものであり、第３の傾斜件３ｅは蓋側載置面３ｂの背面側に形成されてなるものである。また、上記第２の傾斜面３ｄは上記蓋側載置面３ｂの右側面側に形成され、上記第４の傾斜面３ｆは左側面側に形成されてなるものであり、該第１ないし第４の傾斜面３ｃ・・・３ｆはいずれも台形状とされている。すなわち、この実施の形態に係る設備取付用基礎１では、蓋体３の上面形状を上述した形状とする（上記第１ないし第４の傾斜面３ｃ・・・３ｆを形成する）ことにより、降った雨が外側に流れ易くなり、上記挿通穴３ａ内に侵入することが防止されている。
【００２８】
また、この蓋体３の裏面には、図５、図４又は図３に示すように、上記挿通穴３ａの周囲に下方に突出した凸部３ｇが形成されている。この凸部３ｇは、図３及び図４に示すように、上方から上記設備取付用基礎本体２に形成された貫通穴２ｊ内に嵌合されるものである。また、この蓋体３の裏面であって、上記凸部３ｇの外側には、該凸部３ｇを取り囲むように水切り用凹部３ｈが形成されている。この水きり用凹部３ｈは、図３及び図４に示すように、設備取付用基礎本体２の上面２ｉに当接する部位の外側に形成されている。この水きり用凹部３ｈは、雨水がこの蓋体３の上面から側面（符号は省略する。）を伝わって下面に至り更に上記貫通穴２ｊ内に侵入することを防止するものである。もっとも、この貫通穴２ｊ内には、後に説明するように、僅かに膨張する（無収縮）モルタルが充填される。したがって、より正確に説明すれば、上記水きり用凹部３ｈは、雨水が上記設備取付用基礎本体２の内側面と無収縮モルタルとの間や時間経過に伴う無収縮モルタルの割れ目等に毛管現象により侵入し、ひいては建物への雨漏りの原因となることを防止している。
【００２９】
そこで、以下、上述した設備取付用基礎１を用いて設備を支持させる方法、すなわち、この設備取付用基礎１を施工する方法を説明し、併せて設備取付用基礎を用いた設備取付構造について説明する。
【００３０】
先ず、陸屋根であるコンクリートスラブＲ（図６参照）に二つの穴（アンカーボルト埋設用の穴）を開ける。なお、コンクリートスラブＲの上面には、ウレタン防水，アスファルト防水又は塩化ビニルシートを貼付してなる塩化ビニール防水が通常施された防水層Ｔが形成されていることから、こうした防水層を除去し鉛直方向に穴を開ける。これらの穴は、アンカーボルトＡ，Ａの下端側を埋設するための穴であり、この設備取付用基礎１で支持する設備の高さにも拠るが、該設備の転倒により引き抜けを防止するために、少なくとも１２０ｍｍ以上の深さの穴とすることが望ましい。また、こうした穴に下端側が埋設されるアンカーボルトＡ，Ａは、以下に説明するフレーム（架台）の端部側に形成された固定穴に挿通されるものであることから、その固定穴が位置する場所に上記アンカーボルト埋設用の穴を開ける。
【００３１】
そして、上記アンカーボルト埋設用の穴を開ける作業が終了すると、この穴内を入念に掃除しコンクリートの塊や粉を取り除き、次いで、これらのアンカーボルト埋設用の穴内に、それぞれアンカーボルトＡ，Ａの下端側を挿入し、それぞれを立設させる。なお、アンカーボルトＡ，Ａは、ステンレススチールを素材とするものが好ましい。そして、上記設備取付用基礎本体３の裏面に貼付された図示しない剥離紙を剥離し、粘着剤を露出させ、該設備取付用基礎本体３に形成された貫通穴２ｊ内にアンカーボルトＡ，Ａを挿通させ、該設備取付用基礎本体３の底面に塗布された図示しない粘着剤を上記防水層Ｔ１上に貼付する。そして、上記設備取付用基礎本体３に形成された段差部２ｆに変成シリコンＳを巻き、さらにこの変成シリコンＳの外周にバックアップ材Ｂを巻くことにより、上記段差部２ｆを埋めることにより外周面の位置が該段差部２ｆの位置よりも上方に位置する設備取付用基礎本体３の外周面と略同じ位置に嵩上げする。なお、こうした変成シリコンＳとバックアップ材Ｂとの（嵩上げ材の）巻回作業は、設備取付用基礎本体３の底面に塗布された粘着材を防水層Ｔに貼付する前段階で行っても良いし、或いは、設備取付用基礎本体３に形成された上記段差部２ｆに予め巻回しておいても良い。
【００３２】
そして、上記貫通穴２ｊ内に、先に説明した図示しない僅かに膨張する（無収縮）モルタルを該貫通穴２ｊの上方から充填する。なお、この無収縮モルタルの上面は、設備取付用基礎本体３の上面よりもやや下方となるように（蓋体３の底面に形成された凸部３ｇの垂下長さ分下方となるように）充填する。そして、上記無収縮モルタルが硬化したら、既存の防水層Ｔ１の表面（上面）から設備取付用基礎本体３の外周面を含め更に該設備取付用基礎本体３の上面までに亘って新たな防水層Ｔ２を施工する。この新たな防水層Ｔ２は、防水シート（符号は省略する。）を接着材により貼付してなるものであり、その端部が設備取付用基礎本体３の上面２ｉまで位置するように施工する。
【００３３】
こうした新たな防水層Ｔ２の施工が終了すると、次いで、上記僅かに膨張する（無収縮）モルタルを蓋体３に形成された挿通穴３ａに充填し、その後に該蓋体３を上方から被せ、上記アンカーボルトＡ，Ａの上端側を挿通穴３ａ内に挿通させ、上記設備取付用基礎本体３の上面２ｉに載置する。こうした蓋体３の載置作業により、上記新たな防水層Ｔ２の端部側中途部は、該蓋体３の自重により圧接されるとともに、後述するように、それぞれのアンカーボルトＡ，ＡにナットＮを螺合し螺進させる（下方に締め付ける）ことにより、蓋体３は更に下方に押圧され、より一層設備取付用基礎本体３の上面２ｉと蓋体３の下面とは間に上記新たな防水層Ｔ２を挟んで圧接される。したがって、設備取付用基礎本体３と蓋体３との間から雨水が内部に侵入する危険性は大幅に低減される。
【００３４】
そして、上述したように、蓋体３の載置作業が終了すると、次いで、上記蓋体３の上面にレベル調整板５を載置する。このレベル調整板５は、アンカーボルトＡ，Ａの上端側が挿通される挿通穴（符号は省略する。）が開設されている。このレベル調整板５は、文字通り、屋外構造物やそれを支持する架台が水平となるように必要に応じて１つ又は複数配置されるものであり、この実施の形態においては、その素材はゴム又は樹脂からなる弾性材により平板状に成形されている。
【００３５】
そして、こうしたレベル調整板５を必要に応じて任意に配置する作業が終了すると、次いで、屋外構造物を支持する架台Ｋ，Ｋの端部同士をそれぞれ載置するとともに、その架台Ｋの端部に空けられた図示しないボルト挿通穴に、上記アンカーボルトＡ，Ａの先端を挿通し、ナットＮを螺着し螺進させることにより該架台Ｋ，Ｋを蓋体３側に圧接するよう締め付ける。こうした作業により、上記架台Ｋ，Ｋが水平に支持固定される。
【００３６】
以上説明した作業方法により施工された設備取付構造によれば、陸屋根上に設置された設備取付用基礎１では、既存の防水層Ｔ１以外に新たな防水層Ｔ２が施工されていることから、該設備取付用基礎１の設置・施工工事を原因として雨漏りが生ずる危険性は相当大幅に低減される。特に、従来の屋外構造物の取付用基台等と比較した場合には、アンカーボルトＡ，Ａを構成要素としていることから、屋外構造物が倒壊する危険性が大幅に低減でき安定した取付状態・支持状態を確保することができる。
【００３７】
なお、上記実施の形態に係る設備取付用基礎１では、設備取付用基礎本体２と蓋体３とから構成したが、本考案は、必ずしも蓋体３を構成要素する必要性は無く、設備取付用基礎本体２の上面２ｉに上記架台Ｋ，Ｋを支持固定しても良い。
【符号の説明】
【００３８】
１  設備取付用基礎
２  設備取付用基礎本体
２ｉ  上面
２ｊ  貫通穴
３  蓋体
Ａ  アンカーボルト
Ｋ  架台
Ｔ２  新たな防水層
【図１】
0003174221.tif 000003
【図２】
0003174221.tif 000004
【図３】
0003174221.tif 000005
【図４】
0003174221.tif 000006
【図５】
0003174221.tif 000007
【図６】
0003174221.tif 000008